(57)【特許請求の範囲】
【請求項１】
被印字テープを用いて印字ラベルを作成する印字ラベル作成装置であって、
前記被印字テープを搬送させる搬送手段と、
前記搬送手段により搬送される前記被印字テープに所望の印字を形成する印字手段と、
前記被印字テープに形成するテキスト文字の入力を受け付けるテキスト受付手段と、
予め用意された複数の画像の中から、１つの画像の選択を受け付ける画像受付手段と、
前記印字手段を制御することで、前記テキスト受付手段で入力を受け付けた前記テキスト文字に対し、前記画像受付手段で選択を受け付けた１つの画像に対応した修飾を付し、前記１つの画像と共に前記被印字テープに印字形成する、印字制御手段と、
を有し、
前記印字制御手段は、
前記テキスト受付手段で入力を受け付けた複数の前記テキスト文字を含む文字列のうち、第１テキスト文字に対して所定の第１回転角度での回転を行うとともに、前記第１テキスト文字とは異なる第２テキスト文字に対して前記第１回転角度と異なる第２回転角度での回転を行う、
ことを特徴とする印字ラベル作成装置。
【請求項２】
被印字テープを用いて印字ラベルを作成する印字ラベル作成装置であって、
前記被印字テープを搬送させる搬送手段と、
前記搬送手段により搬送される前記被印字テープに所望の印字を形成する印字手段と、
前記被印字テープに形成するテキスト文字の入力を受け付けるテキスト受付手段と、
予め用意された複数の画像の中から、１つの第１修飾画像の選択を受け付ける画像受付手段と、
前記印字手段を制御することで、前記テキスト受付手段で入力を受け付けた前記テキスト文字に対し、前記画像受付手段で選択を受け付けた１つの第１修飾画像に対応した第２修飾画像を付し、前記１つの第１修飾画像と前記第２修飾画像とを前記被印字テープに印字形成する、印字制御手段と、
を有し、
前記印字制御手段は、
前記テキスト受付手段で入力を受け付けた複数の前記テキスト文字を含む文字列のうち、互いに隣接する前記テキスト文字の間に隙間を設けるとともに、当該隙間に前記第２修飾画像を挿入する、
ことを特徴とする印字ラベル作成装置。
【請求項３】
請求項１記載の印字ラベル作成装置において、
前記印字制御手段は、
前記複数の前記テキスト文字の各文字に対して、それぞれの文字の内容に対応した角度での回転を行う、
ことを特徴とする印字ラベル作成装置。
【請求項４】
請求項１又は請求項３記載の印字ラベル作成装置において、
前記印字制御手段は、
前記テキスト文字の上端部を係止点としてそこから垂下させた場合における文字全体の重心を考慮して前記所定の各回転角度での回転を行う、
ことを特徴とする印字ラベル作成装置。
【請求項５】
請求項１、請求項３及び請求項４のいずれか１項記載の印字ラベル作成装置において、
前記複数の画像のそれぞれと前記修飾の内容との対応づけを記憶した記憶手段を有し、
前記印字制御手段は、
前記記憶手段に記憶された前記対応付けを参照することにより、前記選択を受け付けた前記１つの画像に対応した修飾を前記受け付けた前記テキスト文字に対して付し、前記印字形成を行う
ことを特徴とする印字ラベル作成装置。
【請求項６】
請求項２記載の印字ラベル作成装置において、
前記複数の画像のそれぞれと前記第２修飾画像の内容との対応づけを記憶した記憶手段を有し、
前記印字制御手段は、
前記記憶手段に記憶された前記対応付けを参照することにより、前記選択を受け付けた前記第２修飾画像を前記受け付けた前記テキスト文字に対して付し、前記印字形成を行う
ことを特徴とする印字ラベル作成装置。
【請求項７】
請求項１及び請求項３乃至請求項５のいずれか１項記載の印字ラベル作成装置において、
前記複数の画像は、
前記印字ラベルにおいて前記テキスト文字の少なくとも一部を包囲して配置される枠画像、及び、前記印字ラベルにおいて前記テキスト文字の搬送方向一方側に隣接して配置される脇画像のうち、少なくとも一方を含む
ことを特徴とする印字ラベル作成装置。
【請求項８】
請求項２記載の印字ラベル作成装置において、
前記第１修飾画像は、
前記印字ラベルにおいて前記テキスト文字の少なくとも一部を包囲して配置される枠画像、及び、前記印字ラベルにおいて前記テキスト文字の搬送方向一方側に隣接して配置される脇画像のうち、少なくとも一方を含む
ことを特徴とする印字ラベル作成装置。
【請求項９】
被印字テープを搬送させる搬送手段と、前記搬送手段により搬送される前記被印字テープに印字データに基づく印字形成を実行する印字手段と、を備えた印字ラベル作成装置に備えられた演算手段、または前記印字ラベル作成装置に接続された操作端末に備えられた演算手段に対し、
前記被印字テープに形成するテキスト文字の入力を受け付けるテキスト受付手順と、
予め用意された複数の画像の中から、１つの画像の選択を受け付ける画像受付手順と、
前記テキスト受付手順で入力を受け付けた前記テキスト文字に対して前記画像受付手順で選択を受け付けた１つの画像に対応した修飾を付し、前記１つの画像と共に前記被印字テープに印字形成するための、前記印字データを生成する、印字データ生成手順と、
を実行させるとともに、
前記印字データ生成手順では、
前記テキスト受付手順で入力を受け付けた複数の前記テキスト文字を含む文字列のうち、第１テキスト文字に対して所定の第１回転角度での回転を行うとともに、前記第１テキスト文字とは異なる第２テキスト文字に対して前記第１回転角度と異なる第２回転角度での回転を行う、
ことを特徴とするラベル作成処理プログラム。
【請求項１０】
被印字テープを搬送させる搬送手段と、前記搬送手段により搬送される前記被印字テープに印字データに基づく印字形成を実行する印字手段と、を備えた印字ラベル作成装置に備えられた演算手段、または前記印字ラベル作成装置に接続された操作端末に備えられた演算手段に対し、
前記被印字テープに形成するテキスト文字の入力を受け付けるテキスト受付手順と、
予め用意された複数の画像の中から、１つの第１修飾画像の選択を受け付ける画像受付手順と、
前記テキスト受付手順で入力を受け付けた前記テキスト文字に対して前記画像受付手順で選択を受け付けた１つの第１修飾画像に対応した第２修飾画像を付し、前記１つの第１修飾画像と前記第２修飾画像とを前記被印字テープに印字形成するための、前記印字データを生成する、印字データ生成手順と、
を実行させるとともに、
前記印字データ生成手順では、
前記テキスト受付手順で入力を受け付けた複数の前記テキスト文字を含む文字列のうち、互いに隣接する前記テキスト文字の間に隙間を設けるとともに、当該隙間に前記第２修飾画像を挿入する、
ことを特徴とするラベル作成処理プログラム。
【発明の詳細な説明】
【技術分野】
【０００１】
本発明は、印字ラベルを作成する印字ラベル作成装置、及び印字ラベルの作成時に実行するラベル作成処理プログラムに関する。
【背景技術】
【０００２】
印字ラベルなどの小印刷物を作成する作成装置が知られている（例えば、特許文献１参照）。この小印刷物の作成装置においては、入力された文字列とともにそれを包囲する外枠を印刷するが、その外枠を構成する各部分の要素をユーザが任意に指定してその組み合わせにより外枠を多様にデザインする。
【先行技術文献】
【特許文献】
【０００３】
【特許文献１】特開２００５−１０３９２９号公報
【発明の概要】
【発明が解決しようとする課題】
【０００４】
しかしながら、上記従来技術では、ユーザは、外枠のデザインしか行えない。その一方で、入力された文字列に対しても容易に装飾したいというニーズがあり、さらにその装飾に対しても外枠などの装飾画像の内容に調和させて印字ラベルのデザイン性を向上させたいという要望があった。
【０００５】
本発明の目的は、操作者が入力したテキスト文字に対して他の装飾画像に調和する装飾を付すことにより印字ラベルのデザイン性を向上させ、操作者の興趣を向上できる印字ラベル作成装置及びラベル作成処理プログラムを提供することにある。
【課題を解決するための手段】
【０００６】
上記目的を達成するために、本願第１発明は、被印字テープを用いて印字ラベルを作成する印字ラベル作成装置であって、前記被印字テープを搬送させる搬送手段と、前記搬送手段により搬送される前記被印字テープに所望の印字を形成する印字手段と、前記被印字テープに形成するテキスト文字の入力を受け付けるテキスト受付手段と、予め用意された複数の画像の中から、１つの画像の選択を受け付ける画像受付手段と、前記印字手段を制御することで、前記テキスト受付手段で入力を受け付けた前記テキスト文字に対し、前記画像受付手段で選択を受け付けた１つの画像に対応した修飾を付し、前記１つの画像と共に前記被印字テープに印字形成する、印字制御手段と、を有し、前記印字制御手段は、前記テキスト受付手段で入力を受け付けた複数の前記テキスト文字を含む文字列のうち、第１テキスト文字に対して所定の第１回転角度での回転を行うとともに、前記第１テキスト文字とは異なる第２テキスト文字に対して前記第１回転角度と異なる第２回転角度での回転を行う、ことを特徴とする。
また上記目的を達成するために、本願第２発明は、被印字テープを用いて印字ラベルを作成する印字ラベル作成装置であって、前記被印字テープを搬送させる搬送手段と、前記搬送手段により搬送される前記被印字テープに所望の印字を形成する印字手段と、前記被印字テープに形成するテキスト文字の入力を受け付けるテキスト受付手段と、予め用意された複数の画像の中から、１つの第１修飾画像の選択を受け付ける画像受付手段と、前記印字手段を制御することで、前記テキスト受付手段で入力を受け付けた前記テキスト文字に対し、前記画像受付手段で選択を受け付けた１つの第１修飾画像に対応した第２修飾画像を付し、前記１つの第１修飾画像と共に前記被印字テープに印字形成する、印字制御手段と、を有し、前記印字制御手段は、前記テキスト受付手段で入力を受け付けた複数の前記テキスト文字を含む文字列のうち、互いに隣接する前記テキスト文字の間に隙間を設けるとともに、当該隙間に前記第２修飾画像を挿入する、ことを特徴とする。
【０００７】
本願発明の印字ラベル作成装置においては、テキスト文字と、画像とを含む印字ラベルを作成することができる。そのために、テキスト受付手段と、画像受付手段とが設けられている。操作者が、印字ラベルに形成しようとする所望のテキスト文字を例えば操作手段を介して入力すると、その入力が上記テキスト受付手段によって受け付けられる。一方、本願発明の印字ラベル作成装置においては、予め複数の画像が用意されている。操作者が、上記複数の画像の中から、上記テキストと共に印字ラベルに形成しようとする所望の１つの画像を選択すると、その選択が上記画像受付手段によって受け付けられる。
【０００８】
そして、本願発明においては、上記のようにして入力されたテキスト文字は、（選択された１つの画像とともに）単にそのまま印字形成されるのではなく、印字制御手段の制御によって、上記選択された１つの画像の内容に調和するような装飾が付された形で印字形成される。
【０００９】
すなわち例えば、上記画像が、ラベル長手方向を上下方向にして貼り付けられることを前提とした態様であった場合には、上記テキスト文字に含まれる各アルファベットや仮名文字が、いわゆる縦書きとなるように印字形成される。これにより、画像とテキスト文字とを、上記ラベルの貼り付け方向に合致した態様で調和させることができる。
【００１０】
あるいは、上記画像が、ラベルの幅方向端部近傍において長手方向に延びる直線部を含む態様であった場合には、上記テキスト文字に含まれる各アルファベットや仮名文字が、１文字ごとに個別に適宜の角度で回転するようにして印字形成される。これにより、上記画像中の直線部に対し各アルファベット（仮名文字）等がひっかけられているような調和したラベルデザインを、実現することができる。
【００１１】
あるいは、上記画像が、ラベルの長手方向一方側部分とラベルの長手方向他方側部分とに大きく分かれ、それらの間にテキスト文字が挿入配置される態様であった場合には、上記テキスト文字に含まれる各アルファベットや仮名文字が白黒反転されることで１文字ごとに区切られる。これにより、上記画像中の上記一方側部分と上記他方側部分との間に、各アルファベット（仮名文字）等が順序よく整列しつつ並べられているような調和したラベルデザインを、実現することができる。
【００１２】
以上のように、本願発明においては、操作者が入力したテキスト文字は、印字ラベルにおいて、画像に調和する装飾が付された形で形成される。これにより、印字ラベルにおいて、テキスト文字と画像とを一体化し、印字ラベルのデザイン性を向上させることができる。この結果、印字ラベル作りにおける操作者の興趣を向上することができる。
【００１３】
また上記目的を達成するために、本願第９発明は、ラベル作成処理プログラムであって、被印字テープを搬送させる搬送手段と、前記搬送手段により搬送される前記被印字テープに印字データに基づく印字形成を実行する印字手段と、を備えた印字ラベル作成装置に備えられた演算手段、または前記印字ラベル作成装置に接続された操作端末に備えられた演算手段に対して、前記被印字テープに形成するテキスト文字の入力を受け付けるテキスト受付手順と、予め用意された複数の画像の中から、１つの画像の選択を受け付ける画像受付手順と、前記テキスト受付手順で入力を受け付けた前記テキスト文字に対して前記画像受付手順で選択を受け付けた１つの画像に対応した修飾を付し、前記１つの画像と共に前記被印字テープに印字形成するための、前記印字データを生成する、印字データ生成手順と、を実行させるとともに、前記印字データ生成手順では、前記テキスト受付手順で入力を受け付けた複数の前記テキスト文字を含む文字列のうち、第１テキスト文字に対して所定の第１回転角度での回転を行うとともに、前記第１テキスト文字とは異なる第２テキスト文字に対して前記第１回転角度と異なる第２回転角度での回転を行う。
また上記目的を達成するために、本願第１０発明は、ラベル作成処理プログラムであって、被印字テープを搬送させる搬送手段と、前記搬送手段により搬送される前記被印字テープに印字データに基づく印字形成を実行する印字手段と、を備えた印字ラベル作成装置に備えられた演算手段、または前記印字ラベル作成装置に接続された操作端末に備えられた演算手段に対し、前記被印字テープに形成するテキスト文字の入力を受け付けるテキスト受付手順と、予め用意された複数の画像の中から、１つの第１修飾画像の選択を受け付ける画像受付手順と、前記テキスト受付手順で入力を受け付けた前記テキスト文字に対して前記画像受付手順で選択を受け付けた１つの第１修飾画像に対応した第２修飾画像を付し、前記１つの第１修飾画像と共に前記被印字テープに印字形成するための、前記印字データを生成する、印字データ生成手順と、を実行させるとともに、前記印字データ生成手順では、前記テキスト受付手順で入力を受け付けた複数の前記テキスト文字を含む文字列のうち、互いに隣接する前記テキスト文字の間に隙間を設けるとともに、当該隙間に前記第２修飾画像を挿入する、ことを特徴とする。
【発明の効果】
【００１４】
本発明によれば、操作者が入力したテキスト文字に対して他の装飾画像に調和する装飾を付すことにより印字ラベルのデザイン性を向上させ、操作者の興趣を向上できる。
【図面の簡単な説明】
【００１５】
【図１】本発明の一実施形態における印字ラベル作成装置を斜め上方向から見た外観を表す斜視図である。
【図２】下カバーを開放した状態の印字ラベル作成装置を斜め下方向から見た外観を表す斜視図である。
【図３】カートリッジの内部構造を模式的に表す拡大平面図である。
【図４】印字ラベル作成装置の制御系を表す機能ブロック図である。
【図５】本実施形態で用意される複数の修飾画像を例示する図である。
【図６】縦書き化の修飾手法について説明する図である。
【図７】適宜の角度で各文字を回転させる修飾手法について説明する図である。
【図８】各文字を白黒反転させる修飾手法について説明する図である。
【図９】文字間に星の修飾画像を追加配置する修飾手法について説明する図である。
【図１０】文字間に旗の修飾画像を追加配置する修飾手法について説明する図である。
【図１１】修飾処理テーブルを模式的に表す図である。
【図１２】ＣＰＵによって実行される制御手順を表すフローチャートである。
【発明を実施するための形態】
【００１６】
以下、本発明の一実施形態を図面を参照しつつ説明する。
【００１７】
本実施形態の印字ラベル作成装置の概略構成について、図１〜図３を用いて説明する。図１において、この印字ラベル作成装置１は、所望の印字を行った印字済みラベル用テープを所定の長さに切断することにより、印字ラベルＬ（後述の図６〜図１０等参照）を作成する。なお、本実施形態において印字ラベル作成装置１の前・後・左・右・上・下というときは、図１及び図２等に示す方向を指す。
【００１８】
＜全体概略構成＞
図１及び図２に示すように、印字ラベル作成装置１の筐体２は、装置下面を構成する下カバー１５と、装置側面を構成する横カバー１６と、装置上面を構成する上カバー１７とにより構成されている。上カバー１７には、前方向から後方向に向けて、文字入力等の種々の操作が行われるキーボード３、印字ラベル作成装置１の各種機能を実行させるための機能キー群４、及び、入力した文字や記号等を表示するための液晶ディスプレイ５が設けられている。機能キー群４には、この例では、修飾画像指定キー４Ａ、電源スイッチ４Ｂ、印刷キー４Ｃ等が含まれている。また横カバー１６の右側後方には、印刷された印刷済ラベル用テープ１０９（後述の図３参照）をカットするためのカッターレバー７が設けられている。
【００１９】
印字ラベル作成装置１の下側後方には、カートリッジ８を着脱可能なカートリッジホルダ９が設けられている。このカートリッジホルダ９は、印字ラベル作成装置１の前端部を回転軸として開閉可能に構成された上記下カバー１５を閉じると覆われ、下カバー１５を開放すると露出する。
【００２０】
また、図２に示すように、印字ラベル作成装置１の下側後方には、カートリッジホルダ９に隣接して、電池ＢＴ（後述の図４参照）を複数個収納可能な電池収納部７０が設けられている。なお、図２中、符号６０は、外部電源としてのＡＣアダプタ２２０（後述の図４参照）の出力プラグが接続されるＤＣジャックである。
【００２１】
＜カートリッジ＞
図３に示すように、カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である、透明なカバーフィルム１０３（被印字テープに相当）が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール１１１と、印字後のインクリボン１０５を巻取るリボン巻取りローラ１０６と、カートリッジ８のテープ排出部の近傍に回転可能に支持されたテープ送りローラ２７と、を有する。
【００２２】
テープ送りローラ２７は、上記基材テープ１０１と上記カバーフィルム１０３とを押圧し接着させ印字済みラベル用テープ１０９としつつ、図３中矢印Ａで示す方向にテープ送りを行う。
【００２３】
第１ロール１０２は、リール部材１０２ａの周りに上記基材テープ１０１を巻回している。基材テープ１０１はこの例では４層構造となっており、詳細な図示を省略するが、内側に巻かれる側よりその反対側へ向かって、適宜の粘着剤からなる貼り合わせ用粘着層、ＰＥＴ（ポリエチレンテレフタラート）等から成る色付きのベースフィルム、適宜の粘着剤からなる貼り付け用粘着層、剥離紙の順序で積層され構成されている。
【００２４】
第２ロール１０４は、リール部材１０４ａの周りに上記カバーフィルム１０３を巻回している。第２ロール１０４より繰り出されるカバーフィルム１０３の裏面に、インクリボン１０５がサーマルヘッド２３（印字手段に相当）に押圧されて当接させられる。
【００２５】
このとき、上記のカートリッジ８の構成に対応して、カートリッジホルダ９には、上記使用済みのインクリボン１０５を巻き取るためのリボン巻き取り軸１０７と、印字済みラベル用テープ１０９を搬送するための上記テープ送りローラ２７を駆動するためのテープ送りローラ駆動軸１０８（搬送手段に相当）とが設けられている。またカートリッジホルダ９には、カバーフィルム１０３に所望の印刷を行う上記サーマルヘッド２３が、カートリッジ８の装着時にカートリッジ８の開口部１４（図２参照）に位置するように設けられている。
【００２６】
リボン巻取りローラ１０６及びテープ送りローラ２７は、カートリッジ８外に設けた例えばパルスモータである駆動モータ２１１（後述の図４参照）の駆動力が、図示しないギヤ機構を介し上記リボン巻取りローラ駆動軸１０７及び上記テープ送りローラ駆動軸１０８に伝達されることによって、互いに連動し回転駆動される。
【００２７】
上記構成において、カートリッジ８が上記カートリッジホルダ９に装着されロールホルダがリリース位置（図示省略）から図３に示す印字位置に移動されると、カバーフィルム１０３及びインクリボン１０５が、上記サーマルヘッド２３と、このサーマルヘッド２３に対向して設けたプラテンローラ２６との間に狭持される。これとともに、基材テープ１０１及びカバーフィルム１０３が、テープ送りローラ２７と、テープ送りローラ２７に対向して設けた圧着ローラ２８との間に狭持される。そして、上記駆動モータの駆動力によって、リボン巻取りローラ１０６及びテープ送りローラ２７が、図３中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。
【００２８】
一方、第２ロール１０４からはカバーフィルム１０３が繰り出されるとともに、サーマルヘッド制御回路２１７（後述の図４参照）によりサーマルヘッド２３に設けられた複数の発熱素子が通電され、発熱する。このとき、カバーフィルム１０３の裏面側（すなわち上記基材テープと接着される側）には、リボン巻取りローラ１０６により駆動されるインクリボン１０５が、上記サーマルヘッド２３に押圧されて当接させられる。この結果、カバーフィルム１０３の裏面に、所望の印字内容の印字データに対応した印字（詳細は後述）が印刷される。
【００２９】
そして、上記基材テープ１０１と上記印刷が終了したカバーフィルム１０３とが、上記テープ送りローラ２７及び圧着ローラ２８の押圧により上記貼り合わせ用粘着層により接着されて一体化され、印字済みラベル用テープ１０９として形成され、カートリッジ８外へと排出される。カバーフィルム１０３への印字が終了したインクリボン１０５は、リボン巻取りローラ駆動軸１０７の駆動によりリボン巻取りローラ１０６に巻取られる。
【００３０】
カートリッジ８外へ排出された印字済みラベル用テープ１０９の搬送経路の下流側には、固定刃４０と可動刃４１を備えた切断機構４２が設けられている。上記カッターレバー７が操作されることにより可動刃４１が動作し、上記印字済みラベル用テープ１０９が切断され、印字ラベルＬ（後述の図５等参照）が生成される。
【００３１】
＜制御系＞
次に、図４を用いて、印字ラベル作成装置１の制御系について説明する。
【００３２】
図４において、印字ラベル作成装置１は、所定の演算を行うＣＰＵ２１２（演算手段に相当）を有している。
【００３３】
ＣＰＵ２１２には、上記液晶ディスプレイ５と、ＦＬＡＳＨ  ＲＯＭ２１４と、ＲＡＭ２１３と、が接続されている。またＣＰＵ２１２は、ＡＣアダプタ２２０に接続され印字ラベル作成装置１の電源のオン・オフ処理を行う電源回路２１５と、上記リボン巻取りローラ駆動軸１０７及び上記テープ送りローラ駆動軸１０８を駆動する駆動モータ２１１の駆動制御を行うモータ駆動回路２１６と、上記サーマルヘッド２３の発熱素子の通電制御を行うサーマルヘッド制御回路２１７とに接続されている。
【００３４】
ＦＬＡＳＨ  ＲＯＭ２１４（記憶手段に相当）には、各種制御プログラム（後述の図１２のフローを実行する制御プログラムを含む；特に図示せず）が記憶されているとともに、後述する複数の修飾画像の画像データが修飾画像記憶部２１４ａで記憶され、またそれら複数の修飾画像にそれぞれ対応した後述のテキスト修飾処理が修飾処理記憶部２１４ｂで記憶されている（後述の図１１参照）。ＣＰＵ２１２は、ＲＡＭ２１３の一時記憶機能を利用しつつＦＬＡＳＨ  ＲＯＭ２１４に予め記憶されたプログラムに従って信号処理を行い、それによって印字ラベル作成装置１全体の制御を行う。
【００３５】
なお、印字時に上記サーマルヘッド２３が実際に出力するのは、印字済みラベル用テープ１０９の搬送方向に対して直交する方向に並んだ一列のドットパターンである。このドットパターンを、印字済みラベル用テープ１０９の搬送に同期するよう変化させて出力することにより、印字済みラベル用テープ１０９上に平面画像が印字形成される。このため、上記サーマルヘッド制御回路２１７に入力される画像データ（以下、印字データという）は、２次元的なドットパターンで構成されるいわゆるラスタ形式データでなくてはならない。
【００３６】
一方、本実施形態では、予め用意された複数のテキスト文字について、編集段階では適宜の文字コードを用いて識別するが、上述した印字データの生成時には対応する文字画像データ（２次元的なドットパターンデータ）を用いて上記ラスタ形式データに変換、合成する。
【００３７】
＜実施形態の特徴＞
本実施形態において、上記のようにして生成される印字ラベルＬには、テキスト文字と、そのテキスト文字に隣接又は包囲する修飾画像（後述の図５〜図１１参照）と、が印字形成されている。本実施形態の最大の特徴は、上記テキスト文字に、上記修飾画像に対応した修飾を付す手法にある。以下、その詳細を順を追って説明する。
【００３８】
＜テキスト文字の修飾手法の詳細＞
本実施形態の印字ラベル作成装置１では、図５に例示するような複数の修飾画像（複数の画像に相当）が予め用意され、上記修飾画像記憶部２１４ａに記憶されている。例えば１番目の修飾画像は、点線枠で示すテキスト文字の入力範囲Ｎ全体を包囲する略矩形形状の枠画像である（２番目、１０番目も同様）。単にテキスト文字だけを印字するのではなく、このような修飾画像とともに印字することで、印字ラベル作りにおける操作者の興趣を向上させる。
【００３９】
また４番目の修飾画像は、テキスト文字の入力範囲Ｎに対し印字済みラベル用テープ１０９の搬送方向一方側（この場合上流側、図中の右側）に隣接して配置される脇画像である。なお、３番目の修飾画像の場合は、搬送方向両側に隣接して配置される脇画像である。また５番目の修飾画像は、印字ラベルＬの幅方向端部近傍（図中の上側端部近傍）において印字ラベルＬの長手方向に延びる直線部を含む画像である。これは、テキスト文字の入力範囲Ｎに対して幅方向一方側（図中の上方側）に直線部を配置し、幅方向他方側（図中の下方側）を開放しているが、この場合も枠画像とみなす（６〜９、１１番目も同様）。
【００４０】
これら複数の修飾画像は、予めラスタ形式データの形態で上記修飾画像記憶部２１４ａに記憶されている。そして、操作者がいずれか一つの修飾画像を選択して上記液晶ディスプレイ５に表示させ、そのテキスト文字の入力範囲Ｎに所望のテキスト文字を入力することで印字ラベルＬの印字内容を編集する。
【００４１】
＜縦書き化の修飾手法について＞
例えば、上記図５中の４番目の修飾画像には、ラベル長手方向を上下方向にして貼り付けられることを前提とした縦書きの態様で「合格」と記された文字画像が含まれており、これに対応して印字ラベルＬ上にはテキスト文字（図示する例の「おめでとう」）も縦書きで印字するのが望ましい。しかし、図６に示すように、上記液晶ディスプレイ５はラベル長手方向を左右方向に配置したいわゆる横書きの態様に対応しているため、テキスト文字の入力編集時には横書きで入力される。そこで本実施形態では、修飾画像が縦書き態様である場合には、編集時に横書きで入力したテキスト文字を、印字データ生成時に縦書きとなるよう変換する。つまり、本実施形態の印字ラベル作成装置１は、入力されたテキスト文字に対して、修飾画像に対応した修飾を付すよう修飾処理を行い、印字データを生成、印刷する。
【００４２】
＜適宜の角度で各文字を回転させる修飾手法について＞
また、上記図５中の５番目の修飾画像には、上述したように、修飾画像中の上側端部近傍に長手方向に延びる直線部を含んでいる。本実施形態においてこの修飾画像の場合には、図７に示すように、入力したテキスト文字に含まれる各アルファベットや仮名文字の各文字が、それぞれあたかも上記直線部にひっかけられてぶら下がる（垂下する）ように見える回転角度で配置されるよう修飾処理する。
【００４３】
図示する例では、テキスト文字として「ＨＪＮ」の３文字のアルファベットが入力されているが、「Ｈ」の文字の場合は例えば左上端部を係止点としてそこから垂下させた場合に文字全体の重心を考慮して右周りに傾く回転角度で配置している。また、「Ｊ」の文字の場合は、上端部を係止点としてそこから垂下させた場合に文字全体の重心を考慮して右周りに傾く回転角度で配置されている。また、「Ｎ」の文字の場合は、右上端部を係止点としてそこから垂下させた場合に文字全体の重心を考慮して左周りに傾く回転角度で配置されている。このように上記５番目の修飾画像では、入力されたテキスト文字の各文字に対してそれぞれの文字の内容に対応した角度で回転するよう配置する修飾処理を行う。
【００４４】
＜各文字を白黒反転させる修飾手法について＞
また、上記５中の６番目の修飾画像には、テキスト文字の入力範囲Ｎに対して搬送方向両側に汽車をイメージした脇画像が隣接して配置されており、また修飾画像中の下側端部近傍には長手方向に延びて架台車両に見立てた直線部を含んでいる。本実施形態においてこの修飾画像の場合には、図８に示すように、入力したテキスト文字（図示する例の「搬入品」）に含まれる各アルファベットや仮名文字の各文字を白黒反転して各文字間に隙間を設けることにより、それぞれがあたかも上記架台車両上に載置された貨物のように見えるよう修飾処理する。
【００４５】
＜文字間に修飾画像を追加配置する修飾手法について＞
また、上記図５中の７番目の修飾画像には、テキスト文字の入力範囲Ｎに対して搬送方向両側に夜の屋外風景をイメージした脇画像が隣接して配置されており、また修飾画像中の下側端部近傍には長手方向に延びて地面に見立てた直線部を含んでいる。本実施形態においてこの修飾画像の場合には、図９に示すように、入力したテキスト文字（図示する例の「就寝中」）の各文字間に隙間を設け、さらにその隙間に星をイメージした小画像を追加的に挿入するよう配置することにより、全体が夜景に見えるよう修飾処理する。なおこの例では、星の小画像のデータを別途用意しておき、その配置位置をランダムに決定することで修飾処理ごとに異なる内容の印字データを生成できる。
【００４６】
もしくは、上記図５中の８番目の修飾画像には、テキスト文字の入力範囲Ｎに対して搬送方向両側にサーカスをイメージした脇画像が隣接して配置されており、また修飾画像中の上側端部近傍には長手方向に延びてロープに見立てた直線部を含んでいる。本実施形態においてこの修飾画像の場合には、図１０に示すように、入力したテキスト文字（図示する例の「開催中」）の各文字間に隙間を設け、さらにその隙間に旗をイメージした小画像を追加的に挿入するよう配置することにより、全体に旗が点在して見えるよう修飾処理する。なおこの例では、脇画像の一部から旗の小画像のデータを複製しておき、直線部に沿ったその配置数と旗の種類（白旗、黒旗）をランダムに決定することで修飾処理ごとに異なる内容の印字データを生成できる。
【００４７】
以上のようにして、操作者が選択した修飾画像の内容に対応する修飾手法によりテキスト文字を修飾処理することで、修飾画像とテキスト文字を併せた印字内容全体のデザインバランスが調和され、印字ラベル作りにおける操作者の興趣を向上させる。
【００４８】
なお、図１１は、修飾画像とテキスト修飾処理の対応付けを表す修飾処理テーブルを示している。修飾画像の記録項目が上記修飾画像記憶部２１４ａに記憶され、テキスト修飾処理の記録項目が上記修飾処理記憶部２１４ｂに記憶され、対応する修飾画像とテキスト修飾処理が関連付けられて図示する修飾処理テーブルを構成する。なお、この修飾処理テーブルが、各請求項記載の複数の画像のそれぞれと修飾の内容との対応づけに相当する。
【００４９】
＜印字データの編集と生成の具体的な制御手順＞
以上説明した印字データの編集と生成の処理を実現するため、当該印字ラベル作成装置１のＣＰＵ２１２により実行される制御手順を図１２のフローチャートで説明する。図１２において、例えば操作者が印字データの編集を開始する操作を入力した際に、このフローが開始される。
【００５０】
まず、ステップＳ５において、ＣＰＵ２１２は、液晶ディスプレイ５上に複数の修飾画像を切り替え可能に表示して操作者に選択入力させる。その後、ステップＳ１０に移る。
【００５１】
ステップＳ１０では、ＣＰＵ２１２は、上記ステップＳ５で選択された修飾画像を液晶ディスプレイ５に表示させるとともに、所定の入力範囲Ｎ内にカーソルを表示させて操作者にテキスト文字を入力させる。その後、ステップＳ１５に移る。
【００５２】
ステップＳ１５では、ＣＰＵ２１２は、上記図１１の修飾処理テーブルを参照して、上記ステップＳ５で選択された修飾画像に対応するテキスト修飾処理を取得する。その後、ステップＳ２０に移る。
【００５３】
ステップＳ２０では、ＣＰＵ２１２は、上記ステップＳ１５で取得されたテキスト修飾処理を実行して、上記ステップＳ１０で入力されたテキスト文字の修飾処理を行う。その後、ステップＳ２５に移る。
【００５４】
ステップＳ２５では、ＣＰＵ２１２は、上記ステップＳ２０で修飾処理されたテキスト文字をラスタ形式データに変換し、上記ステップＳ５で選択された修飾画像に合成することで印字データを生成する。その後、ステップＳ３０に移る。
【００５５】
ステップＳ３０では、ＣＰＵ２１２は、上記機能キー群４を介した操作者からの入力に基づいて、上記ステップＳ２５で生成した印字データを印刷するか、もしくは印字データを記録するかのどちらを行うか判定する。ラベル印刷を行うよう操作者から入力されている場合には、ステップＳ３５に移る。
【００５６】
ステップＳ３５では、ＣＰＵ２１２は、モータ駆動回路２１６に対してラベルの搬送を行わせるよう制御するとともに、上記ステップＳ２５で生成した印字データをサーマルヘッド制御回路２１７に入力することでラベル印刷を行う。そして、このフローを終了する。
【００５７】
一方、上記ステップＳ３０の判定において、印字データを記録するよう操作者から入力されている場合には、ステップＳ４０に移る。
【００５８】
ステップＳ４０では、ＣＰＵ２１２は、上記ステップＳ２５で生成した印字データをＲＡＭ２１３等に記録する。そして、このフローを終了する。
【００５９】
以上において、ステップＳ１０の手順が各請求項記載のテキスト受付手段及びテキスト受付手順に相当し、ステップＳ５の手順が各請求項記載の画像受付手段及び画像受付手順に相当し、ステップＳ１５、ステップＳ２０、ステップＳ２５、及びステップＳ３５の手順が各請求項記載の印字制御手段に相当し、ステップＳ１５、ステップＳ２０、及びステップＳ２５の手順が各請求項記載の印字データ生成手順に相当する。
【００６０】
＜本実施形態により得られる効果＞
以上説明したように、本実施形態の印字ラベル作成装置１においては、テキスト文字と、修飾画像とを含む印字ラベルＬを作成することができる。そして、テキスト文字は、（選択された１つの修飾画像とともに）単にそのまま印字形成されるのではなく、ステップＳ１５、ステップＳ２０、ステップＳ２５、及びステップＳ３５の手順によって、選択された１つの画像の内容に調和するような装飾が付された形で印字形成される。
【００６１】
すなわち例えば、修飾画像が、ラベル長手方向を上下方向にして貼り付けられることを前提とした態様であった場合（図６の場合）には、テキスト文字に含まれる各アルファベットや仮名文字が、いわゆる縦書きとなるように印字形成される。これにより、修飾画像とテキスト文字とを、印字ラベルＬの貼り付け方向に合致した態様で調和させることができる。
【００６２】
あるいは、修飾画像が、ラベルの幅方向端部近傍において長手方向に延びる直線部を含む態様であった場合（図７の場合）には、テキスト文字に含まれる各アルファベットや仮名文字が、１文字ごとに個別に適宜の角度で回転するようにして印字形成される。これにより、修飾画像中の直線部に対し各アルファベット（仮名文字）等がひっかけられているような調和したラベルデザインを、実現することができる。
【００６３】
あるいは、修飾画像が、ラベルの長手方向一方側部分とラベルの長手方向他方側部分とに大きく分かれ、それらの間にテキスト文字が挿入配置される態様であった場合（図８の場合）には、テキスト文字に含まれる各アルファベットや仮名文字が白黒反転されることで１文字ごとに区切られる。これにより、修飾画像中の上記一方側部分と上記他方側部分との間に、各アルファベット（仮名文字）等が順序よく整列しつつ並べられているような調和したラベルデザインを、実現することができる。
【００６４】
以上のように、本実施形態においては、操作者が入力したテキスト文字は、印字ラベルＬにおいて、画像に調和する装飾が付された形で形成される。これにより、印字ラベルＬにおいて、テキスト文字と画像とを一体化し、印字ラベルＬのデザイン性を向上させることができる。この結果、印字ラベル作りにおける操作者の興趣を向上することができる。なお、以上説明したようなテキスト文字の修飾処理については、その実行の可否を操作者が任意に選択して切り替えるようにしてもよい。
【００６５】
また、本実施形態では特に、修飾画像とそれぞれ対応する修飾内容（テキスト修飾処理）との対応付けが修飾処理テーブルの形態でＦＬＡＳＨ  ＲＯＭ２１４に記憶されており、ステップＳ１５、ステップＳ２０、ステップＳ２５、及びステップＳ３５の手順では、記憶された上記対応付けを用いて、前述の装飾付与を実行する。これにより、複雑な制御や演算処理を行うことなく、簡易な処理で、迅速にテキスト文字への修飾付与を実行することができる。
【００６６】
また、本実施形態では特に、複数の修飾画像は、印字ラベルＬにおいてテキスト文字の少なくとも一部を包囲して配置される枠画像、及び、印字ラベルＬにおいてテキスト文字の搬送方向一方側に隣接して配置される脇画像のうち、少なくとも一方を含んでいる。これにより、印字ラベルＬにおいて、テキスト文字を、枠画像や脇画像に調和した装飾を付した形で印字形成することができる。したがって、印字ラベルＬにおいて、テキスト文字とそれを囲む枠画像（又は、テキスト文字とその脇に配置される脇画像）を一体化し、印字ラベルＬのデザイン性を向上させることができる。
【００６７】
また、本実施形態では特に、テキスト文字に対して付される修飾は、縦書き化、適宜の角度の文字回転、及び、白黒反転のうち、少なくとも１つである。これにより、印字ラベルＬにおいて、テキスト文字を、縦書き化したり文字ごとに回転させたり白黒反転させることで、画像に調和した態様で画像と一体化することができる。この結果、確実に印字ラベルＬのデザイン性を向上させることができる。なお、これらのようにテキスト文字を、縦書き化したり文字ごとに回転させたり白黒反転させる以外の修飾処理も適用してもよい。例えば、修飾画像の内容に合わせてテキスト文字のフォントスタイルを変えたり、半透明化やエンボス化などの加工を行ったり、各文字ごとに大きさを変えたりするなどの修飾処理を適用してもよい。
【００６８】
また、特に図示しないが、印字ラベル作成装置１に汎用パーソナルコンピュータなどの操作端末を接続し、この操作端末上で印字データの編集及び生成を行ってもよい。この場合には、当該操作端末が備えるＣＰＵが各請求項記載の演算手段に相当し、このＣＰＵに印字データの編集及び生成を行わせるプログラムが各請求項記載のラベル作成処理プログラムに相当し、当該ラベル作成処理プログラム中の上記ステップＳ１０に対応する手順が各請求項記載のテキスト受付手順に相当し、ステップＳ５に対応する手順が各請求項記載の画像受付手順に相当し、ステップＳ１５、ステップＳ２０、及びステップＳ２５に対応する手順が各請求項記載の印字データ生成手順に相当する。
【００６９】
なお、以上において、図４等の各図中に示す矢印は信号の流れの一例を示すものであり、信号の流れ方向を限定するものではない。
【００７０】
また、図１２等に示すフローチャートは本発明を上記フローに示す手順に限定するものではなく、発明の趣旨及び技術的思想を逸脱しない範囲内で手順の追加・削除又は順番の変更等をしてもよい。
【００７１】
また、以上既に述べた以外にも、上記実施形態や各変形例による手法を適宜組み合わせて利用しても良い。
【００７２】
その他、一々例示はしないが、本発明は、その趣旨を逸脱しない範囲内において、種々の変更が加えられて実施されるものである。
【符号の説明】
【００７３】
１                印字ラベル作成装置
３                キーボード
５                液晶ディスプレイ
２３              サーマルヘッド（印字手段）
１０３            カバーフィルム（被印字テープ）
１０８            テープ送りローラ駆動軸（搬送手段）
２１２            ＣＰＵ
２１４            ＦＬＡＳＨ  ＲＯＭ
２１４ａ          修飾画像記憶部
２１４ｂ          修飾処理記憶部
Ｌ                印字ラベル
【図１】
0006476677.tif 000002
【図２】
0006476677.tif 000003
【図３】
0006476677.tif 000004
【図４】
0006476677.tif 000005
【図５】
0006476677.tif 000006
【図６】
0006476677.tif 000007
【図７】
0006476677.tif 000008
【図８】
0006476677.tif 000009
【図９】
0006476677.tif 000010
【図１０】
0006476677.tif 000011
【図１１】
0006476677.tif 000012
【図１２】
0006476677.tif 000013